(57)【要約】【課題】  データ情報を表示する主表示部と装飾パターンを表示する装飾表示部と備えた発光表示装置において、装飾表示を用いて時刻表示を表示し、かつ表示時刻を容易に視認できるようする。【解決手段】  複数の発光素子のオン・オフによって画像情報を表示する発光表示ユニット１７と表示制御部１８とを有する発光表示装置１０において、発光表示装置１０は、時計回路２１と時刻検出部２２と時報報知部１５を備え、発光表示ユニット１７は、データ情報を表示する主表示部１７１と飾りパターンを表示する装飾表示部１７２からなり、表示制御部１８は主表示部の表示を制御する主表示制御部１８１と装飾表示部の表示を制御する装飾表示制御部１８２からなり、装飾表示制御部１８２は、時報報知部１５からの時報音と同期し、時刻に対応したドット数の装飾表示部１８２における発光素子を点灯制御する。【選択図】        図１
2006259123.tif 000002
【特許請求の範囲】
【請求項１】
マトリックス状に配列された複数の発光素子からなり、前記複数の発光素子のオン・オフによって画像情報を表示する発光表示ユニットと表示制御部とを有する発光表示装置において、
前記発光表示装置は、時計回路と時刻検出部と時報報知部を備え、
前記発光表示ユニットは、データ情報を表示する主表示部とその周囲に設定された飾りパターン表示を表示する装飾表示部からなり、表示制御部は主表示部の表示を制御する主表示制御部と装飾表示部の表示を制御する装飾表示制御部からなり、
前記装飾表示制御部は、前記時報報知部からの時報音と同期し、時刻に対応したドット数の装飾表示部における発光素子を点灯制御することを特徴とする発光表示装置。
【請求項２】
前記装飾表示制御部は、点灯させる発光素子の表示色を変化させるとともに、表示色を変化させる発光素子の位置を時報音に同期して順次移動させることを特徴とする請求項１に記載の発光表示装置。
【請求項３】
マトリックス状に配列された複数の発光素子からなり、前記複数の発光素子のオン・オフによって画像情報を表示する発光表示ユニットと表示制御部とを有する発光表示装置において、
前記発光表示装置は、時計回路と時刻検出部と時報報知部を備え、
前記発光表示ユニットは、データ情報を表示する主表示部とその周囲に設定された飾りパターン表示を表示する装飾表示部からなり、表示制御部は主表示部の表示を制御する主表示制御部と装飾表示部の表示を制御する装飾表示制御部からなり、
前記装飾表示制御部は、前記時報報知部からの時報音と同期し、時刻に対応したドット数の装飾表示部における発光素子を点滅制御することを特徴とする発光表示装置。
【請求項４】
前記装飾表示制御部は、点滅させる発光素子の表示色を変化させるとともに、表示色を変化させる発光素子の位置を時報音に同期して順次移動させることを特徴とする請求項３に記載の発光表示装置。
【請求項５】
前記装飾表示制御部は、点滅させる発光素子の位置を順次移動させることを特徴とする請求項３に記載の発光表示装置。
【発明の詳細な説明】
【技術分野】
【０００１】
本発明は、マトリックス状に配列された複数の発光素子からなりデータ情報を表示する主表示部と装飾パターンを表示する装飾表示部と備えた発光表示装置に関するものであり、特に、装飾表示部の複数の発光素子を用い、時報報知に同期して時刻表示を行うようにした発光表示装置に関するものである。
【背景技術】
【０００２】
一般に、ＬＥＤなどの発光素子を用いた表示装置が種々の電子装置に用いられている。また、このような発光素子をマトリックス状に配列した表示部に文字、絵文字、図形などのデータ情報を表示する発光表示装置も用いられている。このようなマトリックスタイプの表示装置は、例えば、発光表示装置を周囲から観察し易い場所に設置し、駐車場の空きの有無や、商店などが営業中であることを表示したり、あるいは、遊戯設備の表示装置としても使用されている。
【０００３】
このようなマトリックスタイプの発光表示装置においては、発光表示装置が設置されていること、あるいは、発光表示装置に表示したデータ情報が注目を引くように、表示したデータ情報の周囲に装飾パターンを表示する構成にする場合も多い。装飾パターンは、例えば、表示したデータ情報の周囲の１〜数ラインの発光素子をデータ情報の表示色と異なる色で表示し、あるいは、表示箇所を順次シフトしたり、点滅表示したりする制御を行い、観察者の注意を引くようにしている。
【０００４】
例えば、下記の特許文献１（特開平１１−３１６５６９号公報）には、データ情報と装飾パターンを表示するようにしたマトリックスタイプの発光表示ユニットを備えた発光表示装置が開示されている。
【０００５】
図８は、この特許文献１に開示された発光表示装置における発光表示ユニットの構成を示す図である。発光表示ユニット１は、複数のＬＥＤ２をマトリックス状に配列したものであり、周囲の１〜数ラインの発光素子を飾りパターンを表示する装飾パターン表示領域３とし、この装飾パターン表示領域３に囲まれた表示領域を、データ情報を表示するデータ情報表示領域４としたものである。この図の場合、データ情報表示領域４はテキスト表示のための４つの文字表示領域から構成されている。
【０００６】
このような発光表示装置に時刻表示を行う場合がある。例えば、下記の特許文献２（特開平１０−３９８１９号公報）には、時刻表示を行う表示装置が開示されている。この特許文献２に開示された表示装置は、マトリックスタイプの発光表示ユニットを用い、時刻や温度、湿度、気圧、ニュースなどを切り替えて表示する表示装置であり、テキスト表示のための複数の文字表示領域に時刻をテキスト（文字）として発光表示するように構成したものである。
【０００７】
時刻表示にあたっては、特許文献２のように時刻をテキスト表示する際、テキストを構成する発光素子を点灯させ、時分の間にコロンパターンを点滅表示する方法が一般的である。例えば、下記の特許文献３（特開２００３−３０２４８３号公報）には発光素子を点滅表示して時刻報知を行う時刻報知装置が開示されている。
【特許文献１】特開平１１−３１６５６９号公報（図３）
【特許文献２】特開平１０−３９８１９号公報（図５）
【特許文献３】特開２００３−３０２４８３号公報（図１、図２、図３）
【発明の開示】
【発明が解決しようとする課題】
【０００８】
マトリックス状に配列された複数の発光素子からなりデータ情報を表示する主表示部と装飾パターンを表示する装飾表示部と備えた発光表示装置において時刻表示を行う場合、上記特許文献２に開示された表示装置のように時刻をテキストとして表示すると、データ情報を表示する主制御部に時刻表示を行うことになり、本来表示すべきデータ情報の表示と時刻表示とを切り替えて表示しなければならず、その間データ情報の表示が行えなくなるという問題点があった。
【０００９】
本願の発明者は上記の問題点を解消すべく種々検討を重ねた結果、装飾パターンを表示する装飾表示部を用いて時刻表示を行えば上記問題点を解消し得ることに想到し、本発明を完成するに至ったものである。
【００１０】
すなわち、本発明は上記の問題点を解消することを課題とし、マトリックス状に配列された複数の発光素子からなりデータ情報を表示する主表示部と装飾パターンを表示する装飾表示部と備えた発光表示装置において、装飾表示を用いて時刻表示を表示し、かつ表示時刻を容易に視認できるようにした発光表示装置を提供することを目的とする。
【課題を解決するための手段】
【００１１】
前記課題を解決するために、本願の請求項１にかかる発明は、
マトリックス状に配列された複数の発光素子からなり、前記複数の発光素子のオン・オフによって画像情報を表示する発光表示ユニットと表示制御部とを有する発光表示装置において、
前記発光表示装置は、時計回路と時刻検出部と時報報知部を備え、
前記発光表示ユニットは、データ情報を表示する主表示部とその周囲に設定された飾りパターン表示を表示する装飾表示部からなり、表示制御部は主表示部の表示を制御する主表示制御部と装飾表示部の表示を制御する装飾表示制御部からなり、
前記装飾表示制御部は、前記時報報知部からの時報音と同期し、時刻に対応したドット数の装飾表示部における発光素子を点灯制御することを特徴とする。
【００１２】
また、本願の請求項２にかかる発明は、請求項１にかかる発明において、装飾表示制御部は、点灯させる発光素子の表示色を変化させるとともに、表示色を変化させる発光素子の位置を時報音に同期して順次移動させることを特徴とする。
【００１３】
本願の請求項３にかかる発明は、
マトリックス状に配列された複数の発光素子からなり、前記複数の発光素子のオン・オフによって画像情報を表示する発光表示ユニットと表示制御部とを有する発光表示装置において、
前記発光表示装置は、時計回路と時刻検出部と時報報知部を備え、
前記発光表示ユニットは、データ情報を表示する主表示部とその周囲に設定された飾りパターン表示を表示する装飾表示部からなり、表示制御部は主表示部の表示を制御する主表示制御部と装飾表示部の表示を制御する装飾表示制御部からなり、
前記装飾表示制御部は、前記時報報知部からの時報音と同期し、時刻に対応したドット数の装飾表示部における発光素子を点滅制御することを特徴とする。
【００１４】
また、本願の請求項４にかかる発明は、請求項３にかかる発明において、装飾表示制御部は、点滅させる発光素子の表示色を変化させるとともに、表示色を変化させる発光素子の位置を時報音に同期して順次移動させることを特徴とする。
【００１５】
また、本願の請求項５にかかる発明は、請求項３にかかる発明において、装飾表示制御部は、点滅させる発光素子の位置を順次移動させることを特徴とする。
【発明の効果】
【００１６】
請求項１にかかる発明においては、装飾表示制御部は、時報報知部からの時報音と同期し、時刻に対応したドット数の装飾表示部における発光素子を点灯制御する。すなわち、装飾表示部の発光素子を用いて時刻表示を行うように構成し、各発光素子の点灯によって時刻表示が行われるため、点灯発光素子数で表示時刻を容易に視認することができるようになる。また、時報音が終わらない状態でも容易に表示時刻を視認することができるようになる。
【００１７】
また、請求項２にかかる発明においては、請求項１にかかる発明において、装飾表示制御部は点灯させる発光素子の表示色を変化させるとともに、表示色を変化させる発光素子の位置を順次移動させる。従って、各発光素子の発光色とその位置の移動によって時刻表示が行われるため、点灯発光素子数や表示色とその位置の移動によって表示時刻を容易に視認することができるようになる。
【００１８】
請求項３にかかる発明においては、装飾表示制御部は、時報報知部からの時報音と同期し、時刻に対応したドット数の装飾表示部における発光素子を点滅制御する。すなわち、装飾表示部の発光素子を用いて時刻表示を行うように構成し、各発光素子の点滅によって時刻表示が行われるため、点滅発光素子数で表示時刻を容易に視認することができるようになる。また、時報音が終わらない状態でも容易に表示時刻を視認することができるようになる。
【００１９】
また、請求項４にかかる発明においては、請求項３にかかる発明において、点滅させる発光素子の表示色を変化させるとともに、表示色を変化させる発光素子の位置を順次移動させる。従って、各発光素子の点滅や発光色とその位置の移動によって時刻表示が行われるため、点滅発光素子数や表示色、その位置によって表示時刻を容易に視認することができるようになる。
【００２０】
また、請求項５にかかる発明においては、請求項３にかかる発明において、点滅させる発光素子の位置を順次移動させる。従って、各発光素子の点滅やその位置の移動によって時刻表示が行われるため、点滅発光素子数やその位置によって表示時刻を容易に視認することができるようになる。
【発明を実施するための最良の形態】
【００２１】
以下、本発明の具体例を実施例及び図面を用いて詳細に説明する。図１は、本発明の実施例にかかる発光表示装置の構成を示すブロック図である。図２は、図１の発光表示ユニットに時刻表示する概念を示す模式図である。図３ないし図７は、装飾表示部に時刻を表示する際の点灯制御の態様を示す制御テーブルの模式図である。
【実施例１】
【００２２】
本発明にかかる発光表示装置１０は、図１に示すように、マイクロプロセッサなどのＣＰＵで構成される制御部（ＣＰＵ）１１、ＲＡＭ１２、ＲＯＭ１３、記憶装置１４、時報報知部１５、入力部１６、主表示部１７１と装飾表示部１７２を有する発光表示ユニット１７、主表示部１７１の表示を制御する主表示制御部１８１と装飾表示部１７２の表示を制御する装飾表示制御部１８２とを有する表示制御部１８、時計回路２１、表時刻検出部２２などを備えて構成されている。制御部１１はマイクロプロセッサなどのＣＰＵからなり、ＲＯＭ１３、ＲＡＭ１２、記憶装置１４などに蓄積された制御プログラムやアプリケーションプログラムにより各部の動作を制御する。
【００２３】
発光表示ユニット１７は、図２に示すようにテキスト、絵文字、図形などのデータ情報を表示する主表示部１７１と、主表示部１７１の周囲に設けられ、観察者の目を引くための装飾表示部１７２から構成されている。主表示部１７１は１組が１６個×１６個に整列したＬＥＤを横に３組有している。装飾表示部１７には1組が４個ＬＥＤを上下夫々１２組と左右夫々４組有している。主表示部と装飾表示部の夫々のＬＥＤは光の３原色である「赤」、「青」、「緑」の３つの発光チップを有している。
【００２４】
表示制御部１８は、発光表示ユニット１７の構成に対応して、すなわち、主表示部１７１と装飾表示部１７２に対応してそれぞれの表示制御を行う主表示制御部１８１、装飾表示制御部１８２から構成されている。主表示制御部１８１や装飾表示制御部１８２は、一般的なビットマップメモリを使用した表示制御を行う。例えば、ビットマップメモリを用いて表示すべきデータをドット単位で画像データに展開し、各ドットに対応する発光素子を点灯して表示する。また、ビットマップメモリに展開された画像データを走査する際、１回おきに全てのドットを消灯するように制御すれば、点滅表示をすることができる。更に、１ドットの表示領域を光の３原色である「赤」、「青」、「緑」の３つの発光チップの光量を調整することで１個のＬＥＤ（１個の発光素子）の色を変化させることもできる。
【００２５】
入力部１６は発光表示装置１０に所用の入力を行うキー、タッチパネルなどの入力手段と主表示部１７１に表示すべきデータ情報や装飾表示部１８２に表示する飾りパターンの情報を外部のコンピュータ装置などから入力あるいは受信するための入力インタフェースとを備えている。
【００２６】
時計回路２２は標準クロック信号やクリスタル発信器などにより時間を計数する回路であり、時刻検出部２２は時計回路２２の計数に基づいて、設定されたアラーム時刻や現在時刻、時報報知時刻を検出して時刻表示をしたり、時刻報知（アラームや時刻などの時報報知）をするために使用され、アラーム時刻や時報などの時刻報知は時報報知部１５により出力される。報知音は例えば、時報の場合第１音から第３音までの３音により報知される。本発明においては、時報報知に同期して、図２に示すように装飾表示部１７２の上部のみの１２組の発光素子ａ１ないしａ１２を用いて時刻表示を行う。なお、発光素子ａ１ないしａ１２は、１個の発光表示であってもよく、複数個の発光素子であってもよい。時刻表示は、装飾表示制御部１８２に設けられた点灯状態を制御する制御テーブルに設定された情報に基づいてビットマップメモリにドット展開して行なわれる。
【００２７】
以下、図３ないし図７に示す装飾表示部１７２の各発光子素子ａ１ないしａ１２の表示制御の態様を示す制御テーブルに基づいて本発明の実施例にかかる時刻表示の態様について説明する。
【００２８】
本発明の実施例１にかかる態様によれば、装飾表示制御部１８２には例えば図３に示す制御テーブルが用意されており、これに基づいて各発光子素子ａ１ないしａ１２の点灯を制御する。すなわち、図３は午前３時または午後３時の時報報知と装飾表示部１７２による時刻表示を制御する場合を示しており、時刻検出部２２が時計回路２１の計数している時刻を検出し、午前３時または午後３時になると、装飾表示制御部１８２は時報報知の第１音と同期して発光素子ａ１を赤色発光、発光素子ａ２と発光素子ａ３を青色発光させる。他の発光素子ａ４〜ａ１２は消灯のままである。
【００２９】
次いで、時報報知の第２音と同期して発光素子ａ１と発光素子ａ２を赤色発光、発光素子ａ３を青色発光させ、時報報知の第３音と同期して発光素子ａ１〜発光素子ａ３を赤色発光させる。この間、他の発光素子ａ４〜ａ１２は消灯のままである。この態様によれば、発光素子ａ１〜ａ３の全てが赤色発光された時点で午前または午後３時であること容易に視認できる。
【実施例２】
【００３０】
本発明の実施例２にかかる態様によれば、装飾表示制御部１８２には例えば図４に示す制御テーブルが用意されており、これに基づいて各発光子素子ａ１ないしａ１２の点灯を制御する。すなわち、図４は午前３時または午後３時の時報報知と装飾表示部１７２による時刻表示を制御する場合を示しており、時刻検出部２２が時計回路２１の計数している時刻を検出し、午前３時または午後３時になると、装飾表示制御部１８２は時報報知の第１音と同期して発光素子ａ１を赤色発光、発光素子ａ２と発光素子ａ３を青色発光させる。他の発光素子ａ４〜ａ１２は消灯のままである。
【００３１】
次いで、時報報知の第２音と同期して発光素子ａ１と発光素子ａ３を青色発光、発光素子ａ２を赤色発光させ、時報報知の第３音と同期して発光素子ａ１と発光素子ａ２を青色発光、発光素子ａ３を赤色発光させる。この間、他の発光素子ａ４〜ａ１２は消灯のままである。この態様によれば、赤色発光する発光素子が順次移動して発光素子ａ３が赤色発光された時点で午前または午後３時であること容易に視認できる。
【実施例３】
【００３２】
本発明の実施例３にかかる態様によれば、装飾表示制御部１８２には例えば図５に示す制御テーブルが用意されており、これに基づいて各発光子素子ａ１ないしａ１２の点灯を制御する。すなわち、図５は午前３時または午後３時の時報報知と装飾表示部１７２による時刻表示を制御する場合を示しており、時刻検出部２２が時計回路２１の計数している時刻を検出し、午前３時または午後３時になると、装飾表示制御部１８２は時報報知の第１音と同期して発光素子ａ１を赤色発光、発光素子ａ２と発光素子ａ３を青色発光させる。この時他の発光素子ａ４〜ａ１２は緑色発光させる。
【００３３】
次いで、時報報知の第２音と同期して発光素子ａ１と発光素子ａ２を赤色発光、発光素子ａ３を青色発光させ、時報報知の第３音と同期して発光素子ａ１〜発光素子ａ３を赤色発光させる。この間、他の発光素子ａ４〜ａ１２を緑色発光させる。この態様によれば、発光素子ａ１〜ａ３の全てが赤色発光された時点で午前または午後３時であること容易に視認できる。
【実施例４】
【００３４】
本発明の実施例４にかかる態様によれば、装飾表示制御部１８２には例えば図６に示す制御テーブルが用意されており、これに基づいて各発光素子ａ１ないしａ１２の点灯を制御する。すなわち、図６は午前３時または午後３時の時報報知と装飾表示部１７２による時刻表示を制御する場合を示しており、時刻検出部２２が時計回路２１の計数している時刻を検出し、午前３時または午後３時になると、装飾表示制御部１８２は時報報知の第１音と同期して発光素子ａ１を点滅、発光素子ａ２と発光素子ａ３を点灯させる。他の発光素子ａ４〜ａ１２は消灯のままである。
【００３５】
次いで、時報報知の第２音と同期して発光素子ａ１と発光素子ａ２を点滅、発光素子ａ３を点灯させ、時報報知の第３音と同期して発光素子ａ１〜発光素子ａ３を点滅させる。この間、他の発光素子ａ４〜ａ１２は消灯のままである。この態様によれば、発光素子ａ１〜発光素子ａ３の全てが点滅表示された時点で午前または午後３時であること容易に視認できる。この場合は時報報知を点灯、点滅、消灯で判定するので、表示色とは無関係である。よって、例えば、１組の４つのＬＥＤの色が互いに異なっていてもよいし、ａ１とａ２の色が異なっていてもよい。
【実施例５】
【００３６】
本発明の実施例５にかかる態様によれば、装飾表示制御部１８２には例えば図７に示す制御テーブルが用意されており、これに基づいて各発光子素子ａ１ないしａ１２の点灯を制御する。すなわち、図７は午前３時または午後３時の時刻報知と装飾表示部１７２による時刻表示を制御する場合を示しており、時刻検出部２２が時計回路２１の計数している時刻を検出し、午前３時または午後３時になると、装飾表示制御部１８２は時報報知の第１音と同期して発光素子ａ１〜発光素子ａ３を青色発光させる。他の発光素子ａ４〜ａ１２は消灯のままである。
【００３７】
次いで、時報報知の第２音、第３音と同期してそれぞれ第１音の場合と同様に発光素子ａ１〜発光素子ａ３を青色発光させ、他の発光素子ａ４〜ａ１２は消灯のままとする。このような態様によっても時報報知音と、発光素子ａ１〜発光素子ａ３が青色発光されていることによって午前または午後３時であることを容易に視認できる。
【００３８】
上記実施例１ないし実施例５においては、午後と午前の同時刻表示は同じ表示とした例を示したが、１２個の発光素子ａ１〜ａ１２の他に、他の装飾表示部１７２の発光素子、例えば、主表示部１７１を構成する発光素子の１つを定めておき、この発光素子を午前と午後を区別するために点灯、消灯、点滅制御するように構成することもできる。また、主表示部１７１の下部の装飾表示部１７２を加えた合計２４組で午前、午後の表示を区別するように構成することもできる。
【００３９】
以上、詳細に説明したように本発明にかかる発光表示装置によれば、装飾表示部の発光素子を用いて時刻表示を行うように構成し、各発光素子の点灯や点滅およびその発光色によって時刻表示が行われるため、点灯発光素子数や点滅素子数で表示時刻を容易に視認することができるようになる。また、時報音が終わらない状態でも容易に表示時刻を視認することができるようになる。
【図面の簡単な説明】
【００４０】
【図１】本発明の実施例にかかる発光表示装置の構成を示すブロック図である。
【図２】図１の発光表示ユニットに時刻表示する概念を示す模式図である。
【図３】装飾表示部に時刻を表示する際の点灯制御の１態様を示す制御テーブルの模式図である。
【図４】装飾表示部に時刻を表示する際の点灯制御の他の態様を示す制御テーブルの模式図である。
【図５】装飾表示部に時刻を表示する際の点灯制御の更に他の態様を示す制御テーブルの模式図である。
【図６】装飾表示部に時刻を表示する際の点灯制御の更に他の態様を示す制御テーブルの模式図である。
【図７】装飾表示部に時刻を表示する際の点灯制御の更に他の態様を示す制御テーブルの模式図である。
【図８】複数の発光素子をマトリックス状に配列した一般的な発光表示ユニットの構成を示す図である。
【符号の説明】
【００４１】
１０・・・発光表示装置
１１・・・制御部（ＣＰＵ）
１２・・・ＲＯＭ
１３・・・ＲＡＭ
１４・・・記憶装置
１５・・・時報報知部
１６・・・入力部
１７・・・発光表示ユニット
１７１・・主表示部
１７２・・装飾表示部
１８・・・表示制御部
１８１・・主表示制御部
１８２・・装飾表示制御部
２１・・・時計回路
２２・・・時刻検出部
【図１】
2006259123.tif 000003
【図２】
2006259123.tif 000004
【図３】
2006259123.tif 000005
【図４】
2006259123.tif 000006
【図５】
2006259123.tif 000007
【図６】
2006259123.tif 000008
【図７】
2006259123.tif 000009
【図８】
2006259123.tif 000010